(57)【特許請求の範囲】
【請求項１】
アルミニウムあるいはアルミニウム合金の押出型材からなる２本の支柱が、
各支柱に設けられた表面パネル受面同士を同一平面内に配置させた状態に、両支柱間に挟まれた連結金具を介して連結されるとともに、
表面パネルが、その幅方向の両端部を、前記２本の支柱の前記表面パネル受面にそれぞれ受けさせた状態で、前記両支柱に支持される門柱であって、
前記支柱が、筒状の支柱本体部を有し、
この支柱本体部が、前記表面パネル受面の両側に側壁部を有し、
この側壁部に凹設され、前記連結金具を前記支柱本体部に固定する固定ねじのねじ頭部が入り込んだ状態で、カバー材でカバーされるねじ受け溝を備え、かつ、
前記ねじ受け溝が、その両側壁に、支柱に支持される門扉のヒンジの固定金具が嵌り込んで係止される金具係止溝がそれぞれ凹設されているとともに、
前記２本の支柱が、それぞれ前記支柱本体部の前記表面パネルの支柱外側の縁から立ち上がる表面側支持壁部と、この表面側支持壁部から他方の支柱側に延出し、前記表面パネル受面との間で、前記支柱の上下方向に連続し、上下端で開口する溝を形成する表面パネル挟着部を備え、
前記表面パネル挟着部が、表面側挟着部本体と、この表面挟着部本体の前記表面パネル受面に対向する面から突設されて、前記表面パネルに圧接される少なくとも１本の突条を備えていて、
前記表面パネルの一方の端部が、一方の支柱の前記表面パネル受面と前記表面パネル挟着部との間に嵌り込み、前記表面パネル挟着部によって前記表面パネル受面に圧接され、
前記表面パネルの他方の端部が、他方の支柱の前記表面パネル受面と前記表面パネル挟着部との間に嵌り込み、前記表面パネル挟着部によって前記表面パネル受面に圧接されていることを特徴とする門柱。
【請求項２】
前記支柱本体部が、その両側壁部に側面パネル受面を有するとともに、
この側面パネル受面との間で前記支柱の上下方向に連続し、上下端で開口する溝を形成する側面パネル挟着部を、前記側面パネル受面の両側に備え、
側面パネルが、その幅方向の両端部がそれぞれ前記溝内に嵌り込み、前記側面パネル挟着部によって前記側面パネル受面に圧接された状態で、前記ねじ受け溝をカバーしている請求項１に記載の門柱。
【発明の詳細な説明】
【技術分野】
【０００１】
本発明は、支柱と表面パネル等を組み立てて形成される中空の門柱に関する。
【背景技術】
【０００２】
門柱、塀等のように、建物の外構として用いられる工作物があるが、例えば、このような工作物として、施工現場で、アルミニウムやアルミニウム合金の押出型材で形成された複数の支柱が、その下端をコンクリートベース等に埋設されて立設されるとともに、表面パネルを支柱間に掛け渡すように支持固定するようにした中空の門柱が既に提案されている（特許文献１，２参照）。
すなわち、上記門柱の場合、軽量な支柱に表面パネルを支持させた中空状態になっているので、石材やコンクリート製の門柱等に比べ、重量が小さくでき、施工性に富んでいる。
【先行技術文献】
【特許文献】
【０００３】
【特許文献１】特開平8-232567号公報
【特許文献２】特開平10-196258号公報
【発明の概要】
【発明が解決しようとする課題】
【０００４】
ところで、先に提案された特許文献１，２に記載の門柱は、表面パネルを幅方向の端部を並立された２つの支柱のパネル受面に当接させるとともに、表面パネルの表面側から固定ねじ（ボルトやビス）を上下方向に所定ピッチで支柱にねじ込んで、表面パネルを固定支持している。
したがって、規格が決まっている門柱ユニットでは、工場出荷にあたり、表面パネルを予め所定の寸法に裁断するとともに、支柱のねじピッチに合わせてねじ通孔を表面パネルに穿設されている。
一方、施工現場によっては、表面パネルや支柱を施工現場で必要に応じて裁断し、ねじ通孔等を現場の状況に応じて穿設することが行われる場合もある。
しかし、現場で表面パネルや支柱に多数の孔を穿設するのは面倒であるとともに、孔を正確に穿設するには熟練を要する。
【０００５】
しかも、上記のような門柱の場合、固定ねじの頭が門柱の表面に出て、意匠性に問題があるとともに、門柱正面から見やすい位置に固定ねじの頭があるため、いたずらにより固定ねじを取られたり、表面パネルを取られたりするおそれがある。
【０００６】
本発明は、上記事情に鑑みて、表面パネルをねじで直接固定する必要がなく、表面パネルの取り付け施工性がよく、また、意匠性に優れるとともに、必要に応じて表面パネルの交換を容易に行うことができる門柱を提供することを目的としている。
【課題を解決するための手段】
【０００７】
上記目的を達成するために、本発明にかかる門柱は、アルミニウムあるいはアルミニウム合金の押出型材からなる２本の支柱が、各支柱に設けられた表面パネル受面同士を同一平面内に配置させた状態に、両支柱間に挟まれた連結金具を介して連結されるとともに、表面パネルが、その幅方向の両端部を、前記２本の支柱の前記表面パネル受面にそれぞれ受けさせた状態で、前記両支柱に支持される門柱であって、前記支柱が、筒状の支柱本体部を有し、この支柱本体部が、前記表面パネル受面の両側に側壁部を有し、この側壁部に凹設され、前記連結金具を前記支柱本体部に固定する固定ねじのねじ頭部が入り込んだ状態で、カバー材でカバーされるねじ受け溝を備え、かつ、前記ねじ受け溝が、その両側壁に、支柱に支持される門扉のヒンジの固定金具が嵌り込んで係止される金具係止溝がそれぞれ凹設されているとともに、前記２本の支柱が、それぞれ前記支柱本体部の前記表面パネルの支柱外側の縁から立ち上がる表面側支持壁部と、この表面側支持壁部から他方の支柱側に延出し、前記表面パネル受面との間で、前記支柱の上下方向に連続し、上下端で開口する溝を形成する表面パネル挟着部を備え、前記表面パネル挟着部が、表面側挟着部本体と、この表面挟着部本体の前記表面パネル受面に対向する面から突設されて、前記表面パネルに圧接される少なくとも１本の突条を備えていて、前記表面パネルの一方の端部が、一方の支柱の前記表面パネル受面と前記表面パネル挟着部との間に嵌り込み、前記表面パネル挟着部によって前記表面パネル受面に圧接され、前記表面パネルの他方の端部が、他方の支柱の前記表面パネル受面と前記表面パネル挟着部との間に嵌り込み、前記表面パネル挟着部によって前記表面パネル受面に圧接されていることを特徴としている。
【０００８】
本発明にかかる門柱は、特に限定されないが、前記支柱本体部が、その両側壁部に側面パネル受面を有するとともに、この側面パネル受面との間で前記支柱の上下方向に連続し、上下端で開口する溝を形成する側面パネル挟着部を、前記側面パネル受面の両側に備え、
側面パネルが、その幅方向の両端部がそれぞれ前記溝内に嵌り込み、前記側面パネル挟着部によって前記側面パネル受面に圧接された状態で、前記ねじ受け溝をカバーしている構成とすることが好ましい。
かかる構造とすれば、側面パネルを交換しやすく、また、支柱の側壁側を意匠性に富んだものとすることができる。
【０００９】
本発明において、上記突条は、挟着部本体の先端から突条の高さ以上の長さ分、支持壁部側に入り込んだ位置に設けられていることが好ましい。
すなわち、表面パネルの端部を、挿入隙間を介して挟着部と、パネル受面との間に挿入嵌合させたときに、突条によって表面パネルや側面パネルが傷つけられたとしても、傷が外部から視認しにくいため、見栄えのよい工作物とすることができる。
【００１０】
表面パネル及び側面パネルは、特に限定されないが、合成樹脂からなる芯材の両面にアルミニウム層を備えた板材本体部と、この板材本体部の少なくとも一方の面に設けられた化粧層を備えているものを用いることが好ましい。
すなわち、無垢のアルミニウム板やアルミニウム合金板に比べ軽量化できるので、工作物全体を軽量にでき、施工性が向上する上、施工中に、不注意でパネルが倒れたりしても軽量物であるので、安全性が高い。
【００１１】
化粧層は、特に限定されないが、例えば、上記板状本体部の表面に化粧シートを貼着するとともに、化粧シート表面を透明樹脂で保護したもの等が挙げられる。
【発明の効果】
【００１２】
以上のように、本発明にかかる門柱は、アルミニウムあるいはアルミニウム合金の押出型材からなる２本の支柱が、各支柱に設けられた表面パネル受面同士を同一平面内に配置させた状態に、両支柱間に挟まれた連結金具を介して連結されるとともに、表面パネルが、その幅方向の両端部を、前記２本の支柱の前記表面パネル受面にそれぞれ受けさせた状態で、前記両支柱に支持される門柱であって、前記支柱が、筒状の支柱本体部を有し、この支柱本体部が、前記表面パネル受面の両側に側壁部を有し、この側壁部に凹設され、前記連結金具を前記支柱本体部に固定する固定ねじのねじ頭部が入り込んだ状態で、カバー材でカバーされるねじ受け溝を備え、かつ、前記ねじ受け溝が、その両側壁に、支柱に支持される門扉のヒンジの固定金具が嵌り込んで係止される金具係止溝がそれぞれ凹設されているとともに、前記２本の支柱が、それぞれ前記支柱本体部の前記表面パネルの支柱外側の縁から立ち上がる表面側支持壁部と、この表面側支持壁部から他方の支柱側に延出し、前記表面パネル受面との間で、前記支柱の上下方向に連続し、上下端で開口する溝を形成する表面パネル挟着部を備え、前記表面パネル挟着部が、表面側挟着部本体と、この表面挟着部本体の前記表面パネル受面に対向する面から突設されて、前記表面パネルに圧接される少なくとも１本の突条を備えていて、前記表面パネルの一方の端部が、一方の支柱の前記表面パネル受面と前記表面パネル挟着部との間に嵌り込み、前記表面パネル挟着部によって前記表面パネル受面に圧接され、前記表面パネルの他方の端部が、他方の支柱の前記表面パネル受面と前記表面パネル挟着部との間に嵌り込み、前記表面パネル挟着部によって前記表面パネル受面に圧接されている
【００１３】
したがって、本発明にかかる門柱は、以下のような効果を備えている。
ねじ受け溝の両側壁に、支柱に支持される門扉のヒンジの固定金具が嵌り込んで係止される金具係止溝がそれぞれ凹設されているので、ピボットヒンジの固定金具を金具係止溝に係止させることによって、門柱の所望の高さ位置にピボットヒンジを容易に取り付けることができる。
すなわち、支柱に門扉を容易に取り付けて、例えば、門扉付きの門柱とすることができる。
【００１４】
また、表面パネルは、その端部が表面パネル受面と、表面パネル挟着部の間に嵌り込み、端部が挟着されるので、表面パネルルを、固定ねじなどを用いて支柱に固定する必要がなくなり、組立て施工性が向上する。
【００１５】
しかも、表面パネル受面と、表面パネル支持壁部と、表面パネル挟着部によって形成される溝が上下に開口しているので、表面パネルの端部を溝の開口端に臨ませ、スライドさせるだけで、表面パネルの端部が表面パネル受面と、表面パネル挟着部の間に嵌り込む。
したがって、表面パネルに傷がついて表面パネルの交換の必要が生じる、あるいは、リフォーム等で、意匠感を変更するため、異なる意匠の表面パネルに交換の必要が生じるなどした場合、表面パネルを支柱の上下方向にスライドさせれば取り外すことができ、新しい表面パネルを支柱の上下方向からスライドさせて、表面パネルの交換を容易にすることができる。
【００１６】
また、固定ねじが、側面パネルによって隠蔽されるので、見栄えがよいとともに、固定ねじの頭が外部から見えないので、固定ねじを外すなどのいたずらを防止できる。
【図面の簡単な説明】
【００１７】
【図１】本発明にかかる門柱の第１の参考例をあらわす斜視図である。
【図２】図１の門柱の横断面図である。
【図３】図１の門柱の支柱の平面図である。
【図４】図１の門柱のポスト及び笠木を取り除いた状態の正面図である
【図５】図４の側面図である。
【図６】図１の門柱の笠木の取り付け方法を説明する要部斜視図である。
【図７】本発明にかかる門柱の第２の参考例をあらわす横断面図である。
【図８】本発明にかかる門柱の実施の形態をあらわし、その横断面図である。
【図９】図８の門柱の分解斜視図である。
【図１０】図８の門柱の施工状態の正面図である。
【図１１】他の工作物であるフェンスの第１の参考例をあらわし、その施工状態の正面図である。
【図１２】図１１のフェンスの断面図である。
【図１３】図１２のａ部拡大図である。
【図１４】他の工作物であるフェンスの第２の参考例をあらわし、その施工状態の正面図である。
【図１５】図１４のフェンスの断面図である。
【図１６】図１５のｂ部拡大図である。
【図１７】他の工作物であるフェンスの第３の参考例をあらわし、その施工状態の正面図である。
【図１８】図１７のフェンスの断面図である。
【図１９】図１８のｃ部拡大図である。
【発明を実施するための形態】
【００１８】
以下に、本発明を、図面を参照しつつ詳しく説明する。
図１は、門柱の第１の参考例をあらわし、図２は図１の門柱を横断面であらわしている。
【００１９】
図１及び図２に示すように、この門柱Ａは、２本の支柱１ａと、２枚の上部表面パネル３ａと、２枚の下部表面パネル３ｂと、２枚の側面パネル３ｃと、ポスト９ａ、笠木３ｄを備えている。
２本の支柱１ａは、それぞれ、アルミニウムあるいはアルミニウム合金からなる押出型材であって、図３に示すように、支柱本体部１０と、表面側支持壁部としての第１支持壁部１３と、表面パネル挟持部としての第１挟着部１４と、側面パネル挟着部としての第２挟着部１６を備えている。
【００２０】
支柱本体部１０は、表面パネル受面１１ａを有する一対の平行壁部１１と、側面パネル受面１５ａを有する第１側壁部１５と、連結金具取り付け用の第２側壁部１２を備えている。
また、両平行壁部１１は、後で詳述する第２挟着部１６を支持する側面パネル支持壁部を構成するように、その一端部が、側面パネル受面１５ａから突出するように第１側壁部１５を介して連結され、他端が第２側壁部１２を介して連結されている。
【００２１】
第１支持壁部１３は、平行壁部１１の一側で、表面パネル受面１１ａに直交するように支柱本体部１０の外側に延出している。
第１挟着部１４は、第１支持壁部１３の先端から表面パネル受面１１ａに対面するように延出する挟着部本体１４ａと、挟着部本体１４ａの表面パネル受面１１ａに対面する面に設けられた複数本（この実施の形態では５本）の突条１４ｂを備えている。
【００２２】
挟着部本体１４ａは、表面パネル受面１１ａとの間で、支柱１ａの上下方向及び挟着部本体１４ａの先端方向（第１支持壁部１３と反対方向）側に開口する略コの字形した表面パネル３ａ，３ｂの挿入溝を形成している。
突条１４ｂは、支柱１ａの上下方向に平行に設けられていて、その頂部と、第１パネル受面１１ａとの距離が、後述する表面パネル３ａ，３ｂが挿入隙間に挿入された状態で突条１４ｂが表面パネル３ａ，３ｂに圧接状態となるように、表面パネル３ａ，３ｂの厚みより小さくなっている。
また、挟着部本体１４ａの延出方向先端側に配置される突条１４ｂは、挟着部本体１４ａの先端から突条１４ｂの高さ以上の長さ分、第１支持壁部１３側に入り込んだ位置に設けられている。
【００２３】
第１側壁部１５は、その側面パネル受面１５ａの中央に上下方向に延びるねじ受け溝１５ｂが凹設されている。
第２挟着部１６は、第１側壁部１５の幅方向両側で、平行壁部１１の一端から第１支持壁部１３の反対側に延出して、第１側面パネル受面１５ａに対面するようにそれぞれ設けられている。
【００２４】
また、第２挟着部１６は、第１挟着部１４と同様に、第２挟着部本体１６ａが第１側面パネル受面１５ａとの間で支柱１ａの上下方向で開口する挿入溝を形成するともに、第１側面パネル受面１５ａ側の面に、複数本（この実施の形態では５本）の突条１６ｂを備えている。
【００２５】
また、２本の支柱１ａは、図４及び図５に示すように、２つのコの字形をした連結金具８ａと固定ねじ６ａを介して上下２箇所で連結固定されて、両支柱１ａの第１パネル受面１１ａが同一平面内にいる。
すなわち、連結金具８ａは、コの字の横辺部８１がそれぞれ２本の支柱１ａの第２側壁部１２の壁面にそれぞれ沿うように配置され、各横辺部８１が第１側面パネル受面１５ａ側から第２側壁１２を介してねじ込まれた固定ねじ６ａで横辺部８１が第２側面パネル受面１５ａに密着固定される。
【００２６】
そして、この連結金具８ａの固定によって、支柱１ａ間の距離が連結金具８ａの縦辺部８２の長さの所定間隔に規制される。
固定ねじ６ａは、上記ねじ込みによって、その頭部が第１側面パネル受面１５ａから突出しないように、ねじ受け溝１５ｂ内に入り込んでいる。
【００２７】
ポスト９ａは、連結金具８ａと連結金具８ａとの間で支柱１ａに支持されていて、図示していないが、支柱１ａの第２側面パネル受面１５ａ及び必要に応じて支柱１ａ間に設けられたポスト支持金具によって支持固定されている。
【００２８】
上部表面パネル３ａ、下部表面パネル３ｂ及び側面パネル３ｃは、合成樹脂からなる芯材の両面にアルミニウム層を備えた板材本体部と、この板材本体部の少なくとも一方の面に設けられた化粧層を備える複合板材で形成されている。
化粧層は、例えば、天然木調や天然石調をした樹脂化粧シートを板材本体部に貼着したのち、透明樹脂保護膜を表面に積層して形成されている。
【００２９】
上部表面パネル３ａは、ポスト９ａの上側で、その両側部がそれぞれ第１挟着部１４と第１パネル受面１１ａとの間に嵌り込むとともに、突条１４ｂが上部表面パネル３ａの表面側に圧接されて支柱１ａ間で支持固定されている。
上部表面パネル３ａの上端は、支柱１ａの上端面とほぼ一致（ほぼとは、公差程度の少しの段差はあってもよいことを意味する）している。
【００３０】
下部表面パネル３ｂは、ポスト９ａの下側で、その両側部がそれぞれ第１挟着部１４と第１パネル受面１１ａとの間に嵌り込むとともに、突条１４ｂが上部表面パネル３ａの表面側に圧接されて支柱１ａ間で支持固定されている。
下部表面パネル３ｂは、その下端が、支柱１ａの下端より支柱の埋め込み長さ分だけ支柱下端より高い位置になっている。
【００３１】
上部表面パネル３ａの下端と、下部表面パネル３ｂの上端及び下端は、図示していないが、支柱１ａ間に掛け渡すように取り付けられた見切り材に設けられた嵌合溝に嵌合させておくことが好ましい。
すなわち、表面パネル３ａ，３ｂは、幅が広くなると撓みが生じ、隙間が生じるおそれがあるが、上記のように見切り材を設けることにより幅広の門柱でも表面パネル３ａ，３ｂに撓みが生じることなく、見栄えがよいとともにしっかりとした組立て強度が確保できる。
【００３２】
なお、上部表面パネル３ａ及び下部表面パネル３ｂの端部を第１挟着部１４と第１パネル受面１１ａとの間に挿入嵌合させるには、例えば、以下のような方法を採る。
（１）上記のように連結金具８ａによって２本の支柱１ａを連結固定したのち、支柱１ａの上端側あるいは下端側からスライド嵌合させる。
（２）一方の支柱１ａに連結金具８ａの一方のコの字の横辺部８１を固定し、連結金具８ａが固定された側の支柱１ａの第１パネル受面１１ａと第１挟着部１４と間に第２側壁部１２側から第１側壁部１５側に向かって上部表面パネル３ａ及び下部表面パネル３ｂの幅方向の一端部をスライド嵌合させる。そののち、上部表面パネル３ａ及び下部表面パネル３ｂの幅方向の他端を他方の支柱１ａの第１パネル受面１１ａと第１挟着部１４の挿入隙間を臨む位置に配置し、固定ねじ６ａを連結金具８ａのコの字の他方の横辺部８１にねじ込みながら、他方の支柱１ａを上部表面パネル３ａ及び下部表面パネル３ｂの幅方向の他端部を他方の支柱１ａの第１パネル受面１１ａと第１挟着部１４との間に挿入嵌合する。
【００３３】
側面パネル３ｃは、その幅方向の両側部が、第２挟着部１６と、第１側面パネル受面１５ａとの間に支柱１ａの上下方向からスライド嵌合させることによって支柱１ａに固定されている。
そして、側面パネル３ｃによって、固定ねじ６ａが、隠蔽されて、外側から視認できないようになる。
【００３４】
笠木３ｄは、図１及び図６に示すように、ＬＥＤ照明Ｌが下面側に装着されていて、固定ねじ６ｂによって支柱１ａの第２側壁部１２に固定されたＬ字金具７のねじ孔７１に、笠木３ｄの上側から固定ねじ６ｃをねじ込むことによって２本の支柱１ａと２枚の上部表面パネル３ａによって形成された筒状部の上部開口を閉じるようになっている。
そして、この門柱Ａは、図１に示すように、支柱１ａの下端部がコンクリートベース４に埋め込まれて立設状態に保持される。
なお、上記門柱Ａには、必要に応じてインターフォン、表札なども取り付けることができる。
【００３５】
この門柱Ａは、上記のように、上部表面パネル３ａ及び下部表面パネル３ｂが、その幅方向の端部を支柱１ａの第１パネル受面１１ａと第１挟着部１４の挿入隙間内に挿入嵌合させるだけで、第１パネル受面１１ａと第１挟着部１４の間に上部表面パネル３ａ及び下部表面パネル３ｂの端部が挟着される。しかも、突条１４ｂが上部表面パネル３ａ及び下部表面パネル３ｂの表面に圧接されるので、幅方向及び上下方向の動きが規制される。したがって、上部表面パネル３ａ及び下部表面パネル３ｂを固定ねじ等を用いて支柱１ａに固定する必要が無く、見栄えのよいものとすることができるとともに、上部表面パネル３ａ及び下部表面パネル３ｂの支柱への取り付け作業も簡易化できる。そして、上部表面パネル３ａ及び下部表面パネル３ｂによって、門柱Ａの道路側の面、建物側の面の両側を意匠性の高いものとすることができる。
【００３６】
また、笠木３ｄを取り外して、上部表面パネル３ａに突条１４ｂの圧接力に抗する力を上方向に加えれば、上部表面パネル３ａが第１パネル受面１１ａに沿って上方にスライドさせて上部表面パネル３ａを取り外すことができる。
そして、新しい上部表面パネル３ａの幅方向の両側を両支柱１ａの挿入隙間の上方カラ臨ませ、新しい上部表面パネル３ａを下方に押し下げれば、上部表面パネル３ａの幅方向の両側が、それぞれ支柱１ａの第１パネル受面１１ａと第１挟着部１４の間に嵌合して、支柱１ａに支持固定された状態になる。
すなわち、表面パネル３ａ，３ｂが固定ねじで支柱１ａに固定されていないので、表面パネル３ａ，３ｂを支柱１ａから容易に取り外すことができるとともに、表面パネル３ａ，３ｂが破損したり、意匠感を変えたりしたいときに表面パネル３ａ，３ｂの交換作業を容易に行うことができる。
【００３７】
さらに、笠木３ｄとともに、ポスト９ａを取り外すようにすれば、下部表面パネル３ｂも同様にして交換可能となる。
【００３８】
また、この門柱Ａは、支柱１ａの第１側壁部１５にねじ受け溝１５ｂが設けられていて、固定ねじ６ａの頭部がこのねじ受け溝１５ｂ内に入り込むとともに、このねじ受け溝１５ｂが側面パネル３ｃによって隠される。
そして、側面パネル３ｃを固定する固定ねじもないため、門柱側面も意匠性に優れたものとなる。
しかも、側面パネル３ｃも第２挟着部１６と第１側面パネル受面１５ａとの間にスライド嵌合させるだけで支柱１ａに支持固定することができるので、取り付け作業性に優れるとともに、新しい側面パネル３ｃの交換作業も容易に行うことができる。
【００３９】
上部表面パネル３ａ、下部表面パネル３ｂ及び側面パネル３ｃが、合成樹脂からなる芯材の両面にアルミニウム層を備えた板材本体部と、この板材本体部の少なくとも一方の面に設けられた化粧層を備える複合板材で形成されているので、アルミニウムやアルミニウム合金のみの板材からなるパネルに比べ軽量で、組立て作業性がよくなるとともに、門柱Ａそのものの重量も軽量化することができ、万一施工中に門柱Ａが倒れて、作業者等に当たるような事故が起きても、被害を軽微なものとすることができる。
【００４０】
図７は、門柱の第２の参考例をあらわしている。
図７に示すように、この門柱Ｂは、２本の支柱１ｂと、背面部材８ｂと、１枚の上部表面パネル３ａと、１枚の下部表面パネル（図示せず）と、ポスト（図示せず）を備えている。
【００４１】
支柱１ｂは、支柱本体部１７と、１つの支持壁部１７１と、１つの挟着部１７２をそれぞれ備えている。
支柱本体部１７は、一方の平行壁部１７３のみがパネル受面１７３ａを有している。
【００４２】
支持壁部１７１は、平行壁部１７３の幅方向の一側でパネル受面１７３ａに直交するように設けられている。
挟着部１７２は、上記第１挟着部１４と同様の構造になっている。
【００４３】
第１側壁部１７４には、ねじ受け溝１７４ａが設けられている。
ねじ受け溝１７４ａには、固定ねじ６ａを隠蔽する長尺のキャップ部材６０が嵌合されて、固定ねじ６ａを隠蔽するようになっている。
【００４４】
背面部材８ｂは、平面視略コの字形をしたアルミニウムあるいはアルミニウム合金の押出型材からなり、コ字の横辺部８３が支柱本体部１７の第２側壁部１２に当接するとともに、第１側壁部１７４側からねじ込まれた固定ねじ６ａによって、支柱１ｂに固定されている。
すなわち、２本の支柱１ｂは、背面部材８ｂによって連結されるとともに、２本の支柱１ｂのパネル受面１７３ａが同一平面内に配置されるようになる。
この門柱Ｂは、上記のように、建物側の面に表面パネルを用いず、建物側の面を背面部材８ｂのコの字の縦辺部によって形成するようにした以外は、上記門柱Ａと同様になっている。
なお、図７において、上記門柱Ａと同様の構造をしている部分は、同じ符号を付した。
【００４５】
図８〜図１０は、本発明にかかる門柱の実施の形態をあらわしている。
図８に示すように、この門柱Ｃは、一方の支柱１ｃの第１側壁面１８ａに設けられたねじ受け溝１８ｂの両側壁面に金具係止溝１８ｃが凹設されていて、図１０に示す門扉Ｄ１のピボットヒンジ１００の固定金具（図示せず）が係止されるようになっているとともに、図９に示すように、両表面パネル３ｅに縦長の矩形の長孔３１が穿設されていて、この長孔３１に縦長のポスト９ｂを嵌め込んで取り付けるようにした以外は、上記門柱Ａと同様になっている。
なお、図１０中、Ｘは，他の門柱である。
【００４６】
この門柱Ｃは、上記のように、一方の支柱１ｃに金具係止溝１８ｃが設けられているので、ピボットヒンジ１００の固定金具を金具係止溝１８ｃに係止させることによって、門柱Ｃの所望の高さ位置にピボットヒンジ１００を容易に取り付けることができる。
また、ピボットヒンジ１００の取り付け部以外は、ねじ受け溝１８ｂは、上記門柱Ａと同様にして側面パネル３ｃによって隠蔽される。
そして、笠木を左右対称形状として、ポストと笠木を１８０反転させて取り付ければ、右勝手の門扉も左勝手の門扉の支持にも部材を増減することなく対応できる。
なお、また、側面パネル３ｃは、交換はできなくなるが、支柱１ｃの下端までねじ受け溝１８ｂが隠蔽されるように取り付け、支柱１ａ，１ｃの下端とともに、コンクリートベースに埋設するようにしても構わない。
【００４７】
図１１〜図１３は、他の工作物であるフェンスの第１の参考例をあらわしている。
図１１〜図１３に示すように、このフェンスＤは、端部支柱２０１と、中間部支柱２０２と、表面パネルＰを基本的に備えている。
【００４８】
端部支柱２０１は、アルミニウムあるいはアルミニウム合金の押出し型材からなり、四角筒状をした支柱本体部２３０と、支柱本体部２３０の一側面から突出するように設けられた一対の表面パネル支持部２４０とを備えている。
各表面パネル支持部２４０は、支柱本体部２３０の一側面に垂直に立ち上がる第１リブ２４１と挟着部となる第２リブ２４２から形成されている。
【００４９】
第１リブ２４１は、第２リブ２４２と支柱本体部２３０の一側面との間で中間部支柱２０２の上下方向で開口する挿入溝を形成するとともに、第２リブ２４２に対向する面が表面パネル受面２４１ａになっている。
一方、第２リブ２４２は、図１３に示すように、挟持部本体としてのリブ本体２４２ａと、突条２４２ｂを備えている。そして、突条２４２ｂの配置及び突条２４２ｂと表面パネル受面２４１ａとの距離は、上記第１の実施の形態の突条１４ｂと第１パネル受面１１ａの場合と同様になっている。
中間部支柱２０２は、アルミニウムあるいはアルミニウム合金の押出し型材からなり、支柱本体部２３０の平行な一対の壁面に、それぞれ端部支柱２０１と同様の一対の表面パネル支持部２４０を設けた以外は、端部支柱２０１と同様になっている。
【００５０】
そして、このフェンスＤは、図１１、図１２に示すように、支柱本体部２３０の表面パネル支持部２４０が形成された面同士を対面させるとともに、第１リブ２４１の表面パネル受面２４１ａ同士が同一平面内に納まるように端部支柱２０１と、中間部支柱２０２を立設させるとともに、表面パネルＰの一方の幅方向の端部を第１リブ２４１と第２リブ２４２の間に形成される溝内に挿入嵌合して表面パネルＰを端部支柱２０１と中間部支柱２０２の間、中間部支柱２０２と中間部支柱２０２の間に掛け渡された状態で表面パネルＰを支持固定できる。
すなわち、表面パネルＰには、突条２４２ｂが圧接されるので、固定ねじで表面パネルＰを固定する必要がない。
【００５１】
なお、このフェンスＤは、図示していないが、キャップ部材や笠木を装着することによって、上部の開口部を必要に応じて覆うようにしても構わない。
【００５２】
このフェンスＤは、上記のように表面パネルＰの端部を第１リブ２４１と第２リブ２４２で形成される挿入溝内に挿入嵌合するだけで表面パネルＰを端部支柱２０１と、中間部支柱２０２間に掛け渡した状態でフェンス壁を構成するように支持固定されるので、施工が容易で、表面パネルを固定する固定ねじが不要であるので、意匠性に優れたものとなる。
【００５３】
図１４〜図１６は、他の工作物であるフェンスの第２の参考例をあらわしている。
図１４〜図１６に示すように、このフェンスＥは、端部支柱３０１及び中間部支柱３０２が以下のような構成になっている。
【００５４】
すなわち、端部支柱３０１は、アルミニウムあるいはアルミニウム合金の押出し型材からなり、第１挟着部３２０と第２挟着部３３０が、上記門柱Ａの支柱１ａの第１挟着部１４と第２挟着部１６と同様の構成となっており、それぞれ突条を備えている。
【００５５】
第１挟着部３２０は、支柱本体部３１０のフェンスＤの表面側の壁面である表面パネル受面３１１との間に表面パネルＰの挿入溝を形成している。
第２挟着部３３０は、フェンスＥの側面方向の壁面である側面パネル受面３１２との間に側面パネルＰ２の挿入溝を形成している。
【００５６】
一方、中間部支柱３０２は、アルミニウムあるいはアルミニウム合金の押出し型材からなり、支柱本体部３１０のフェンスＥの表面側の壁面である表面パネル受面３１１の中央に中間部支柱３０２の上下方向に延びる支持壁部３５０が表面パネル受面３１１に直交するように突設されていて、この支持壁部３５０の先端両側から表面パネル受面３１１に対面するように第３挟着部３４０がそれぞれ延設されている。
第３挟着部３４０は、図１６に示すように、挟着部本体３４１と、突条３４２とを備え、突条３４２が表面パネルＰの表面に圧接されるようになっている。
【００５７】
そして、このフェンスＥは、図１４、図１５に示すように、端部支柱３０１の表面パネル受面３１１と、中間部支柱３０２の表面パネル受面３１１が同一平面内に納まるように端部支柱３０１と中間部支柱３０２を立設させるとともに、表面パネルＰの一方の幅方向の端部を第１挟着部３２０と表面パネル受面３１１との挿入溝に、他方の幅方向の端部を第３挟着部３４０と表面パネル受面３１１の挿入溝に、それぞれ挿入嵌合して表面パネルＰを端部支柱２０１と中間部支柱２０２の間、中間部支柱３０２と中間部支柱３０２の間に掛け渡された状態で表面パネルを支持固定できる。
すなわち、表面パネルＰには、突条３４２が圧接されるので、固定ねじで表面パネルＰを固定する必要がない。
【００５８】
図１７〜図１９は、他の工作物であるフェンスの第３の参考例をあらわしている。
図１７〜図１９に示すように、このフェンスＦは、端部支柱４０１及び中間部支柱４０２が以下のようになっている以外は、上記フェンスＥと同様になっている。
【００５９】
すなわち、図１８、図１９に示すように、端部支柱４０１は、第２挟着部３３０が設けられていない以外は、上記フェンスＥの端部支柱３０１と同様の構造をしている。図中、４１０は支柱本体部、４１１は表面パネル受面、４２０は第１挟着部である。
【００６０】
一方、中間部支柱４０２は、支持壁部４５０が支柱本体部４１０の表面パネル受面４１１の端縁部から立ち上り、この支持壁部４５０の先端から支柱本体部４１０の表面パネル受面４１１に対面するように、第２挟着部４３０が表面パネル受面４１１との間に挿入溝を形成するように延出している。
第２挟着部４３０は、挟着部本体４３１と、突条４３２を備えている。
【００６１】
また、支持壁部４５０の第２挟着部４３０の反対側の面には、表面パネル支持部４０３が設けられている。
表面パネル支持部４０３は、パネル受面４６１を有する第１リブ４６０と、挟着部となる第２リブ４４０を備えている。
第２リブ４４０は、リブ本体４４１と突条４４２を備えている。
【００６２】
そして、このフェンスＦは、図１７、図１８に示すように、端部支柱４０１の表面パネル受面４１１と、中間部支柱４０２の第１リブ４６０の表面パネル受面４６１が同一平面内に納まるように端部支柱３０１と中間部支柱３０２を立設させるとともに、表面パネルＰの一方の幅方向の端部を第１挟着部４２０と表面パネル受面４１１との挿入溝に、他方の幅方向の端部を第１リブ４６０と第２リブ４４０によって形成される挿入溝に、それぞれ挿入嵌合して表面パネルＰを端部支柱４０１と中間部支柱４０２の間に掛け渡された状態で表面パネルＰを支持固定できる。
また、複数の中間部支柱４０２を設ける場合、表面パネルＰは、その一端部を一方の中間部支柱４０２の支柱本体部４１０の表面パネル受面４１１と第２挟着部４３０とで形成される挿入溝に、他端部が他方の中間部支柱４０２の第１リブ４６０と第２リブ４４０とで形成される挿入溝にそれぞれ挿入嵌合すればよい。
【００６３】
本発明は、上記の実施の形態に限定されない。例えば、上記の実施の形態では、支柱が２本平行に並んでいるのみであったが、４本の支柱を平面視で方形に配置されるように並べるようにしても構わない。
また、上記の実施の形態では、平面壁部の幅方向の一側に支持壁部が設けられていたが、支柱を３本以上平行に並べるような構成においては、中間に用いる支柱として、平面壁部の幅方向の中央に支持壁部を設け、支持壁部から幅方向両側に挟着部を設けるようにしたものを用いるようにしても構わない。
【００６４】
また、上記の実施の形態では、支柱本体部が筒形をしていたが、コの字形やアングル状をしていても構わない。
上記の実施の形態では、挟着部側にのみ突条が設けられていたが、表面パネル受面側にも突条を設けるようにしても構わない。
【符号の説明】
【００６５】
Ａ，Ｂ，Ｃ  門柱
Ｄ，Ｅ，Ｆ  フェンス
１ａ，１ｂ，１ｃ  支柱
１０  支柱本体部
１１  平行壁部
１１ａ  第１パネル受面
１２  第２側壁部
１３  第１支持壁部
１４  第１挟着部
１４ａ  第１挟着部本体
１４ｂ  突条
１５  第１側壁部
１５ａ  第１側壁面
１５ｂ  ねじ受け溝
１６  第２挟着部
１６ａ  第２挟着部本体
１６ｂ  突条
１７  支柱本体部
１７１  支持壁部
１７２  挟着部
１７３  平行壁部
１７３ａ  パネル受面
１７４  第１側壁部
１７４ａ  ねじ受け溝
１８ａ  第１側壁面
１８ｂ  ねじ受け溝
１８ｃ  金具係止溝
３ａ  上部表面パネル
３ｂ  下部表面パネル
３ｃ  側面パネル
３ｄ  笠木
３ｅ  表面パネル
３１  長孔
６ａ  固定ねじ
６ｂ  固定ねじ
６ｃ  固定ねじ
６０  キャップ部材
７  Ｌ字金具
７１  ねじ孔
８ａ  連結金具
８ｂ  背面部材
８１  横辺部
８２  縦辺部
８３  横辺部
８４  縦辺部
９ａ  ポスト
９ｂ  ポスト
１００  ピボットヒンジ
２０１  端部支柱
２０２  中間部支柱
Ｄ１  門扉
Ｌ  ＬＥＤ照明
Ｘ  他の門柱
２０１  端部支柱
２０２  中間部支柱
２３０  支柱本体部
２４０  表面パネル支持部
２４１  第１リブ
２４２  第２リブ(挟着部) 
２４１ａ  表面パネル受面
２４２ａ  リブ本体
２４２ｂ  突条
３０１  端部支柱
３０２  中間部支柱
３２０  第１挟着部
３３０  第２挟着部
３１０  支柱本体部
３１１  表面パネル受面
３１２  側面パネル受面
３５０  支持壁部
３４０  第３挟着部
３４１  挟着部本体
３４２  突条
４０１  端部支柱
４０２  中間部支柱
４１０  支柱本体部
４１１  表面パネル受面
４２０  第１挟着部
４５０  支持壁部
４３０  第２挟着部
４３１  挟着部本体
４３２  突条
４４０  第２リブ
４４１  リブ本体
４４２  突条
４６０  第１リブ
Ｐ  表面パネル
Ｐ２  側面パネル
【図１】
0006486108.tif 000002
【図２】
0006486108.tif 000003
【図３】
0006486108.tif 000004
【図４】
0006486108.tif 000005
【図５】
0006486108.tif 000006
【図６】
0006486108.tif 000007
【図７】
0006486108.tif 000008
【図８】
0006486108.tif 000009
【図９】
0006486108.tif 000010
【図１０】
0006486108.tif 000011
【図１１】
0006486108.tif 000012
【図１２】
0006486108.tif 000013
【図１３】
0006486108.tif 000014
【図１４】
0006486108.tif 000015
【図１５】
0006486108.tif 000016
【図１６】
0006486108.tif 000017
【図１７】
0006486108.tif 000018
【図１８】
0006486108.tif 000019
【図１９】
0006486108.tif 000020